(57)【要約】【課題】  周方向に分割可能などべ受けを備えた陶芸用ろくろにおいて、溜めったどべ、水等をこぼすことなくどべ受けを分割及び連結できるようにすることにある。【解決手段】  このどべ受け４は、陶芸用ろくろ１のターンテーブル３の下方及び側方の周囲を覆うよう配置されるものであって、第１及び第２分割皿部４１，５１を備えている。第１及び第２分割皿部４１，５１は、周方向に分割され、どべ溜め可能などべ溜め用凹部４３ａ，５３ａをそれぞれ有し、水平移動によって互いに着脱自在に連結可能である。【選択図】      図５
2005074801.tif 000002
【特許請求の範囲】
【請求項１】
陶芸用ろくろのターンテーブルの下方及び側方の周囲を覆うよう配置されるどべ受けであって、
周方向に分割され、どべ溜め可能な凹部をそれぞれ有し、水平移動によって互いに着脱自在に連結可能な複数の分割皿部を備えた陶芸用ろくろのどべ受け。
【請求項２】
前記分割皿部は、２つからなり、
上下方向に延びるボス部が形成された第１分割皿部と、
前記ボス部に対応する径方向位置に、前記ボス部側に開口し前記ボス部に係合可能な係合凹部が形成された第２分割皿部とを有している、
請求項１に記載の陶芸用ろくろのどべ受け。
【請求項３】
前記分割皿部は、偶数個からなり、
上下方向に延びるボス部の形成されたボス付分割皿部と、
前記ボス部に対応する径方向位置に、前記ボス部側に開口し前記ボス部に係合可能な係合凹部が形成された凹部付分割皿部とを同数ずつ有している、
請求項１に記載の陶芸用ろくろのどべ受け。
【請求項４】
前記分割皿部はそれぞれ、一方に上下方向に延びるボス部が形成されるとともに、他方に前記ボス部に係合可能な係合凹部が形成されている、請求項１に記載の陶芸用ろくろのどべ受け。
【請求項５】
前記ボス部は、上方に延びて形成されている、請求項２から４のいずれかに記載の陶芸用ろくろのどべ受け。
【請求項６】
前記ボス部及び係合凹部は、前記分割皿部の周方向端部に形成されている、請求項２から５のいずれかに記載の陶芸用ろくろのどべ受け。
【請求項７】
ターンテーブルと、
前記ターンテーブルを回転駆動するためのモータと、
前記モータを支持し、前記モータが取り付けられる支持台と、
前記支持台に取り付けられる、請求項１から６のいずれかに記載のどべ受けと、
を備えた陶芸用ろくろ。
【発明の詳細な説明】
【技術分野】
【０００１】
本発明は、陶芸用ろくろに関する。
【背景技術】
【０００２】
従来の陶芸用ろくろとして、ターンテーブルと、どべ受けと、ターンテーブルを回転駆動するためのモータと、モータが取り付けられる支持台とを備えたものが既に知られている（例えば、特許文献１及び２参照）。どべ受けは、ターンテーブルの下方及び側方を覆うよう配置された皿状の部材である。
【０００３】
この陶芸用ろくろでは、陶芸作業に伴ってターンテーブルから外周側に飛び散ったり落下したりする泥、水等をどべ受けによって受けることができ、これにより、支持台やろくろ周辺が汚れるのを防止することができる。
【０００４】
この種の従来の陶芸ろくろとして、汚れたどべ受けを洗浄したいような場合にろくろ本体から容易に取り外せるよう、周方向に分割して複数の分割皿に分割可能に構成されたどべ受けを備えたものが知られている。このような陶芸用ろくろでは、ターンテーブルを取り外すことなどせずとも、どべ受けをろくろ本体から取り外すことができる。
【０００５】
このような従来の陶芸用ろくろでは、具体的に、連結された分割皿同士をクリップ等を用いて固定するクリップ型のものや、特別な固定具を用いずとも分割皿同士が互いに係止することで連結可能に構成されたワンタッチ型のものが知られている。ワンタッチ型のものでは、例えば、一方の分割皿の端部に上下方向に突出するボスが形成されるとともに他方の分割皿にボスが貫通するための孔が形成されており、２つの分割皿は、一方を他方に対し傾けるようにして、ボスを孔に挿入して連結することができ又はボスを孔から抜いて分割できるようになっている。
【特許文献１】特公平６−６１７３２号公報
【特許文献２】米国特許第４０２８０４１号明細書
【発明の開示】
【発明が解決しようとする課題】
【０００６】
上記従来の陶芸用ろくろにおいて、クリップ型のどべ受けの場合は、クリップを紛失してしまうおそれがある。一方、ワンタッチ型のどべ受けの場合は、固定具を紛失することはないが、どべ受けを分割する際に一方の皿を他方の皿に対し傾けなければならないことから、せっかく溜めた泥、水等がこぼれて、支持台やろくろ本体を汚してしまう場合がある。
【０００７】
本発明の目的は、周方向に分割可能などべ受けを備えた陶芸用ろくろにおいて、溜まった泥、水等をこぼすことなくどべ受けを分割及び連結できるようにすることにある。
【課題を解決するための手段】
【０００８】
請求項１に係る陶芸用ろくろのどべ受けは、陶芸用ろくろのターンテーブルの下方及び側方の周囲を覆うよう配置されるどべ受けであって、複数の分割皿部を備えている。複数の分割皿部は、周方向に分割され、どべ溜め可能な凹部をそれぞれ有し、水平移動によって互いに着脱自在に連結可能である。
【０００９】
請求項２に係る陶芸用ろくろのどべ受けは、請求項１のどべ受けにおいて、分割皿部は、２つからなり、第１分割皿部と第２分割皿部とを有している。第１分割皿部は、上下方向に延びるボス部が形成されている。第２分割皿部は、ボス部に対応する径方向位置に、ボス部側に開口しボス部に係合可能な係合凹部が形成されている。
【００１０】
請求項３に係る陶芸用ろくろのどべ受けは、分割皿部は、偶数個からなり、ボス付分割皿部と凹部付分割皿部とを同数ずつ有している。ボス付分割皿部は、上下方向に延びるボス部の形成されている。凹部付分割皿部は、ボス部に対応する径方向位置に、ボス部側に開口しボス部に係合可能な係合凹部が形成されている。
【００１１】
請求項４に係る陶芸用ろくろのどべ受けは、請求項１のどべ受けにおいて、分割皿部はそれぞれ、一方に上下方向に延びるボス部が形成されるとともに、他方にボス部に係合可能な係合凹部が形成されている。
【００１２】
請求項５に係る陶芸用ろくろのどべ受けは、請求項２から４のいずれかのどべ受けにおいて、ボス部は、上方に延びて形成されている。
【００１３】
請求項６に係る陶芸用ろくろのどべ受けは、請求項２から５のいずれかのどべ受けにおいて、ボス部及び係合凹部は、分割皿部の周方向端部に形成されている。
【００１４】
請求項７に係る陶芸用ろくろは、請求項１から６のいずれかのどべ受けにおいて、ターンテーブルと、モータと、支持台と、どべ受けとを備えている。モータは、ターンテーブルを回転駆動するためのものである。支持台は、モータを支持し、モータが取り付けられる。どべ受けは、支持台に取り付けられる、請求項１から５のいずれかに記載のものである。
【発明の効果】
【００１５】
請求項１のどべ受けでは、複数の分割皿部は、連結状態ではターンテーブルの下方及び側方を覆うように配置されているため、ターンテーブルの回転駆動により外周側に飛び散ったり落下したりした泥、水等を受けることができ、これにより、支持台やろくろ周辺が汚れるのが防止される。また、各分割皿部は、分割してろくろ本体から取り外してそれぞれ洗浄できるとともに、再度連結してろくろ本体に取り付けることができる。そして、この陶芸用ろくろのどべ受けでは、このような分割及び連結の作業において、各分割皿部を互いに水平移動させることで分割及び連結できるので、凹部に溜まった泥水等をこぼすといったおそれがない。
【００１６】
請求項２のどべ受けでは、具体的に、第１及び第２分割皿部は、水平移動に伴って係合凹部がボス部に係合することで連結される。一方、第１及び第２分割皿部が連結状態にある場合も、水平移動に伴って係合凹部がボス部から離れることで分割される。ここでは、簡単な構成によって、水平移動による分割及び連結が可能になっている。
【００１７】
請求項３のどべ受けは、具体的に、分割皿部が計偶数個の分割皿から構成される場合において特に適している。
【００１８】
請求項４のどべ受けでは、分割皿部が何個の分割皿から構成される場合であっても、支障なく連結作業を行うことができる。
【００１９】
請求項５のどべ受けでは、特に、ボス部が上方に延びて形成された場合において、請求項２と同様の効果が得られる。
【００２０】
請求項６のどべ受けでは、分割及び連結作業が容易に行うことができる。
【００２１】
請求項７の陶芸用ろくろでは、請求項１から６のいずれかのどべ受けを備えたことで、各分割皿を互いに水平移動させることで分割等できるので、分割時等に凹部に溜まった泥水等をこぼすおそれがない。
【発明を実施するための最良の形態】
【００２２】
［陶芸用ろくろの全体構成］
図１に、本発明の一実施形態が採用された陶芸用ろくろ１を示す。
【００２３】
この陶芸用ろくろは、ターンテーブル３と、モータ５と、支持台７と、どべ受け４とを備えている。
【００２４】
ターンテーブル３は、円板状部材であり、上面側において作業が行われる。ターンテーブル３は、ここでは、モータ５の回転軸（図示せず）に直接装着されている。
【００２５】
モータ５は、ターンテーブル３を回転駆動させるためのものであり、ここでは、ＤＤモータ、好ましくはＤＣブラシレスモータが用いられる。モータ５は、支持台７の筐体部７ｂ（後述）に支持されるとともに、ターンテーブル３を上方側に支持している。
【００２６】
支持台７は、ターンテーブル３を水平に支持するための台であり、天板部７ａと、筐体部７ｂと、脚部７ｃとを有している。天板部７ａは、平坦に形成された上面７ｄを有している。筐体部７ｂは、天板部７ａの下面側に形成されており、モータ５の他に制御装置（図示せず）を内蔵している。筐体部７ｂの側面には、電源スイッチ８、正転／逆転切替つまみ１０が設けられている。脚部７ｃは、天板部７ａの下面側の３カ所に下方に延びて取り付けられている。
【００２７】
［どべ受け］
どべ受け４は、ターンテーブル３の上面から飛び散るまたは落下するどべ、水等を受けるためのものである。どべ受け４は、ターンテーブル３の下方及び側方を覆うよう配置された皿状の部材であり、図２〜図５に示すように、第１分割皿４１と、第２分割皿５１とを有している。
【００２８】
第１分割皿４１は、底面部４３と、底面部４３の外周部から上方に延びる壁部４４とを有している。底面部４３は、周方向に延びて形成されたどべ溜め用凹部４３ａを有し、どべ溜め用凹部４３ａの内周側及び周方向両側の部分は、泥水等の漏れ防止のために上方に突出して形成されている。底面部４３の周方向端部には第２分割皿５１との連結のためのボス４５が形成されている。ボス４５は、上方に延びて円筒状に形成されている。
【００２９】
第２分割皿５１は、第１分割皿４１とほぼ同様に構成されており、底面部５３及び壁部５４を有し、底面部５３は、どべ溜め用凹部５３ａを有している。底面部５３の周方向端部には、第１分割皿４１のボス４５に係合するための係合凹部５５が形成されている。係合凹部５５は、ボス４５に対応する径方向位置に、連結状態での第２分割皿５１のボス４５側に開口するよう形成され、連結時にボス４５に嵌合可能な形状に形成されている。
【００３０】
このように構成された陶芸ろくろ１を使用する場合は、電源スイッチ８をオンにし、筐体部７ｂに接続された操作ペダル（図示せず）を足で踏むことにより、モータ５が作動してターンテーブル３が回転駆動する。これにより、ターンテーブル３上で粘土、水等を用いて陶芸作業を行うことができる。また、この陶芸用ろくろ１では、ターンテーブル３から外周側に飛び散る若しくは落下する泥、水等は、どべ受け４によって受けられ、どべ溜め用凹部４３ａ，５３ａに溜まっていく。そして、どべ受け４は、分割して取り外すことで、どべ溜め用凹部４３ａ，５３ａに溜まったどべ等を捨て、第１及び第２分割皿４１，５１を洗浄することができる。
【００３１】
ここで、第１及び第２分割皿４１，５１を分割する場合は、図３及び図４に示す状態にある第１及び第２分割皿４１，５１を、支持台７上で互いに離れる方向に水平移動させる。すると、係合凹部５５がボス４５から外れて、これにより、どべ受け４は、２つに分割して、支持台７から取り外すことができる。
【００３２】
一方、第１及び第２分割皿４１，５１を再度連結する場合は、まず、第１及び第２分割皿４１，５１を、支持台７の上面７ｄに載置し、対向させて配置する。この状態で、第１及び第２分割皿４１，５１を、互いに接近させると、ボス４５が係合凹部５５に嵌合する。これにより、第１及び第２分割皿４１，５１は、連結状態となり、どべを溜めることができる状態となる。
【００３３】
以上のように、この陶芸ろくろ１では、第１及び第２分割皿４１，５１を支持台７上で水平移動させることにより、分割及び連結できるため、どべ溜め用凹部４３ａ，５３ａに溜まったどべ等をこぼすことなく分割及び連結することができる。
【００３４】
［他の実施形態］
（ａ）どべ受けは、上記のように２分されるものに限らず、３つ以上に分割されるものであってもよい。
【００３５】
（ｂ）ボス及び係合凹部の形状、位置等の構成は、第１及び第２分割皿を水平移動により分割及び連結できる程度のものであれば、特に限定されない。
【００３６】
（ｃ）両端にボスを設けた第１分割皿及び両端に係合凹部を設けた第２分割皿に限らず、各分割皿の両端にボスと係合凹部を設けても良い。
【産業上の利用可能性】
【００３７】
本発明によれば、分割及び連結の作業において、各分割皿を互いに水平移動させることで分割及び連結できるので、凹部に溜まった泥水等をこぼすといったおそれがない。
【図面の簡単な説明】
【００３８】
【図１】本発明の一実施形態が採用された陶芸用ろくろを示す側面図。
【図２】前記陶芸用ろくろの各分割皿を示す上面図。
【図３】連結状態にある前記各分割皿を示す上面図。
【図４】前記分割皿及び係合部材を示す縦断面図。
【図５】連結状態にある前記分割皿及び係合部材を示す縦断面図。
【符号の説明】
【００３９】
１  陶芸用ろくろ
３  ターンテーブル
４  どべ受け
５  モータ
７  支持台
７ｄ  上面
４１  第１分割皿
４３ａ，５３ａ  どべ溜め用凹部
４５  ボス
５１  第２分割皿
５５  係合凹部
【図１】
2005074801.tif 000003
【図２】
2005074801.tif 000004
【図３】
2005074801.tif 000005
【図４】
2005074801.tif 000006
【図５】
2005074801.tif 000007